(57)【要約】【課題】ＥＵデータ多重化についての代替の手法を提供する。【解決手段】無線送受信ユニット（ＷＴＲＵ）によって実行される、拡張アップリンク（ＥＵ）チャネルを通じてデータを転送する方法は、ＥＵ送信のための少なくとも１つのグラントを受信することと、個別チャネルについての媒体アクセス制御（ＭＡＣ−ｄ）フローのデータを拡張個別チャネルについての媒体アクセス制御（ＭＡＣ−ｅ）プロトコルデータユニット（ＰＤＵ）に多重化することであって、ＭＡＣ−ｅ  ＰＤＵサイズおよび対応する拡張個別チャネルトランスポートフォーマットコンビネーション（Ｅ−ＴＦＣ）サイズは、前記少なくとも１つのグラントに少なくとも基づき、前記多重化されたデータは、送信のためのスケジュール型データを含む、ことと、前記ＭＡＣ−ｅ  ＰＤＵの送信のためのＥ−ＴＦＣを選択することと、前記ＭＡＣ−ｅ  ＰＤＵを送信することを備える。【選択図】図１２
2015084605.tif 000002
【特許請求の範囲】
【請求項１】
無線送受信ユニット（ＷＴＲＵ）によって実行される、拡張アップリンク（ＥＵ）チャネルを通じてデータを転送する方法であって、
前記方法は、
ＥＵ送信のための少なくとも１つのグラントを受信することと、
個別チャネルについての媒体アクセス制御（ＭＡＣ−ｄ）フローのデータを拡張個別チャネルについての媒体アクセス制御（ＭＡＣ−ｅ）プロトコルデータユニット（ＰＤＵ）に多重化することであって、ＭＡＣ−ｅ  ＰＤＵサイズおよび対応する拡張個別チャネルトランスポートフォーマットコンビネーション（Ｅ−ＴＦＣ）サイズは、前記少なくとも１つのグラントに少なくとも基づき、前記多重化されたデータは、送信のためのスケジュール型データを含む、ことと、
前記ＭＡＣ−ｅ  ＰＤＵの送信のためのＥ−ＴＦＣを選択することと、
前記ＭＡＣ−ｅ  ＰＤＵを送信することと
を備える方法。
【請求項２】
受信された前記少なくとも１つのグラントは、サービンググラントであり、前記サービンググラントは、スケジュール型データ送信のためのグラントである、請求項１の方法。
【請求項３】
前記サービンググラントは、ノードＢから生じる、請求項２の方法。
【発明の詳細な説明】
【技術分野】
【０００１】
本発明は、無線通信に関する。より詳細には、本発明は、拡張アップリンク（ＥＵ：enhanced uplink）伝送に関する。
【背景技術】
【０００２】
図１に示すシステム１００などの第３世代（３Ｇ：Third Generation）セルラシステムでは、ＥＵは、アップリンク（ＵＬ：uplink）のデータスループットおよび伝送待ち時間の向上を提供する。システム１００は、ノードＢ １０２と、ＲＮＣ １０４と、無線送受信ユニット（ＷＴＲＵ：wireless transmit/receive unit）１０６とを含む。
【０００３】
図２に示すように、ＷＴＲＵ １０６は、プロトコルアーキテクチャ２００を含み、このプロトコルアーキテクチャ２００は、上位層２０２と、個別チャネルＭＡＣ（ＭＡＣ−ｄ）２０４と物理層（ＰＨＹ）２０８の間のＥＵ動作をサポートするために使用されるＥＵメディアアクセス制御（ＭＡＣ：medium access control）（ＭＡＣ−ｅ）２０６とを含む。ＭＡＣ−ｅ ２０６は、ＭＡＣ−ｄフローとして知られているチャネルから、ＥＵ伝送のためのデータを受信する。ＭＡＣ−ｅ ２０６は、ＭＡＣ−ｄフローからのデータを伝送用のＭＡＣ−ｅプロトコルデータユニット（ＰＤＵ：protocol data unit）に多重化し、ＥＵ伝送のために適切なＥＵトランスポートフォーマットコンビネーション（Ｅ−ＴＦＣ：EU transport format combination）を選択する役割を担う。
【０００４】
ＥＵ伝送を可能にするために、物理リソース許可が、ノードＢ １０２およびＲＮＣ １０４によってＷＴＲＵ １０６に割り当てられる。高速の動的チャネル割当てを必要とするＷＴＲＵ ＵＬデータチャネルには、ノードＢ １０２によって提供された高速「スケジュール型の（scheduled）」許可（grant）が与えられ、連続的な割り当てを必要とするチャネルには、ＲＮＣ １０４によって、「非スケジュール型の（non-scheduled）」許可が与えられる。ＭＡＣ−ｄフローは、ＵＬ伝送のためのデータをＭＡＣ−ｅ ２０６に提供する。ＭＡＣ−ｄフローは、スケジュール型または非スケジュール型のＭＡＣ−ｄフローとして構成される。
【０００５】
「サービング許可（serving grant）」は、スケジュール型データのための許可である。「非スケジュール型の許可」は、非スケジュール型データのための許可である。サービング許可は、多重化され得るスケジュール型データの対応する量に変換される電力比であり、したがってスケジュール型データ許可をもたらす。
【０００６】
ＲＮＣ １０４は、無線リソース制御（ＲＲＣ：radio resource control）手順を使用して、各ＭＡＣ−ｄフローのための非スケジュール型許可を構成する。複数の非スケジュール型ＭＡＣ−ｄフローが、ＷＴＲＵ １０６内で同時に構成されることがある。この構成は一般に、無線アクセスベアラ（ＲＡＢ：radio access bearer）が確立されると実施されるが、必要なときに再構成されてもよい。各ＭＡＣ−ｄフローについての非スケジュール型許可は、ＭＡＣ−ｅ ＰＤＵに多重化することができるビット数を指定する。次いで、ＷＴＲＵ １０６は、同じ送信時間間隔（ＴＴＩ：transmission time interval）内で多重化される場合には、非スケジュール型送信を非スケジュール型許可の総数まで送信することを許される。
【０００７】
ＷＴＲＵ １０６からのレート要求（rate request）で送信されたスケジューリング情報に基づいて、ノードＢ １０２は、スケジュール型ＭＡＣ−ｄフローのためのスケジューリング許可を動的に生成する。ＷＴＲＵ １０６とノードＢ １０２の間のシグナリングは、高速ＭＡＣ層シグナリングによって実施される。ノードＢ １０２によって生成されたスケジューリング許可は、許容された最大のＥＵ個別物理データチャネル（Ｅ−ＤＰＤＣＨ：EU dedicated physical data channel）／個別物理制御チャネル（ＤＰＣＣＨ：dedicated physical control channel）電力比を指定する。ＷＴＲＵ １０６は、この電力比および構成された他のパラメータを使用して、すべてのスケジュール型ＭＡＣ−ｄフローからＭＡＣ−ｅ ＰＤＵに多重化することができる最大ビット数を判定する。
【０００８】
スケジュール型許可は、非スケジュール型許可の「上に」あり、相互に排他的なものである。スケジュール型ＭＡＣ−ｄフローは、非スケジュール型許可を使用してデータを送信することはできず、非スケジュール型ＭＡＣ−ｄフローは、スケジュール型許可を使用してデータを送信することはできない。
【０００９】
すべての可能なＥ−ＴＦＣを含むＥＵトランスポートフォーマットコンビネーションセット（Ｅ−ＴＦＣＳ：EU transport format combination set）は、ＷＴＲＵ １０６に知られている。それぞれのＥＵ伝送について、Ｅ−ＴＦＣが、Ｅ−ＴＦＣＳ内のサポートされたＥ−ＴＦＣのセットから選択される。
【００１０】
他のＵＬチャネルがＥＵ伝送に優先するので、Ｅ−ＤＰＤＣＨ上のＥＵデータ伝送に使用可能な電力は、ＤＰＣＣＨ、個別物理データチャネル（ＤＰＤＣＨ：dedicated physical data channel）、高速個別物理制御チャネル（ＨＳ−ＤＰＣＣＨ：high speed dedicated physical control channel）およびＥＵ個別物理制御チャネル（Ｅ−ＤＰＣＣＨ：EU dedicated physical control channel）に必要な電力が考慮に入れられた後の残りの電力である。ＥＵ伝送のための残りの送信電力に基づいて、Ｅ−ＴＦＣＳ内でＥ−ＴＦＣの送信停止（blocked）または送信可能（supported）状態が、ＷＴＲＵ １０６によって連続的に判定される。
【００１１】
それぞれのＥ−ＴＦＣは、ＥＵ送信時間間隔（ＴＴＩ）内に送信することができる複数のＭＡＣ層データビットに対応する。各ＥＵ  ＴＴＩ内で送信されるＥ−ＴＦＣごとに１つのＭＡＣ−ｅ ＰＤＵだけしかないので、残りの電力によってサポートされる最大のＥ−ＴＦＣによって、ＭＡＣ−ｅ ＰＤＵの内に送信することができるデータの最大量（すなわちビット数）が定められる。
【００１２】
複数のスケジュール型および／または非スケジュール型ＭＡＣ−ｄフローが、絶対優先度に基づいて各ＭＡＣ−ｅ ＰＤＵ内で多重化されてもよい。各ＭＡＣ−ｄフローから多重化されるデータ量は、最小量の現在のスケジュール型または非スケジュール型許可、サポートされた最大のＴＦＣからの使用可能なＭＡＣ−ｅ ＰＤＵペイロード、およびＭＡＣ−ｄフロー上の送信に使用可能なデータである。
【００１３】
サポートされたＥ−ＴＦＣ内で、ＷＴＲＵ １０６は、スケジュール型許可および非スケジュール型許可に従ってデータ伝送を最大にする最小のＥ−ＴＦＣを選択する。スケジュール型許可および非スケジュール型許可が完全に使用され、使用可能なＭＡＣ−ｅ ＰＤＵペイロードが完全に使用され、あるいはＷＴＲＵ １０６が、使用可能であり送信を許されたさらなるデータをもはや有していない場合、ＭＡＣ−ｅ ＰＤＵは、次の最大のＥ−ＴＦＣサイズに一致するようにパディングされる。この多重化されたＭＡＣ−ｅ ＰＤＵおよび対応するＴＦＣは、伝送のために物理層に渡される。
【００１４】
サービングおよび非サービング許可は、各ＥＵ  ＴＴＩ内に特定のＭＡＣ−ｄからＭＡＣ−ｅ ＰＤＵに多重化することができる最大量のデータを指定する。スケジュール型許可はＥ−ＤＰＤＣＨ／ＤＰＣＣＨ比に基づくので、ＭＡＣ−ｅ ＰＤＵごとに多重化することが許されたデータビットの数は、Ｅ−ＴＦＣＳ内のサポートされたＥ−ＴＦＣの制限された数のデータサイズに一致する特定のサイズだけを許可するようには明示的に制御され得ない。
【００１５】
ＥＵのデータ伝送のための残りの送信電力によって、Ｅ−ＴＦＣＳの内のサポートされたＥ−ＴＦＣのリストが決まる。サポートされたＥ−ＴＦＣがＴＦＣＳ内の制限された数のＥ−ＴＦＣから判定されるので、許可されたＭＡＣ−ｅ ＰＤＵサイズの粒度（granularity）は、すべての可能なＭＡＣ−ｄフローとＭＡＣ−ｅヘッダの組合せを可能にするとは限らない。したがって、許可によってＭＡＣ−ｅ ＰＤＵへの多重化が許されたＭＡＣ−ｄフローの量はしばしば、サポートされたＥ−ＴＦＣのうちの１つのサイズに一致せず、サポートされたＥ−ＴＦＣのリスト内のできるだけ小さいＥ−ＴＦＣサイズに一致するように、パディングがＭＡＣ−ｅ ＰＤＵに施される。
【００１６】
ＥＵセルが最大能力で動作している場合、ＭＡＣ−ｅ ＰＤＵ多重化はしばしば、サービングおよび非サービング許可によって制限されるが、サポートされた最大Ｅ−ＴＦＣ、または送信に使用可能なＷＴＲＵ ＥＵデータによっては制限されないと予想される。この場合、Ｅ−ＴＦＣＳ内の指定されたＴ−ＴＦＣの粒度に依存して、選択されたＥ−ＴＦＣに一致するのに必要なパディングは、関連するＭＡＣ−ｅヘッダ情報を含めて、ＭＡＣ−ｄフローデータの多重化ブロックサイズを超過することがある。この場合、有効データレートは、選択されたＥ−ＴＦＣおよびその送信に必要な物理リソースによって許されたものから不必要に減少される。
【００１７】
図３は、ＭＡＣ−ｅ ＰＤＵ ３００を示している。スケジューリングおよび非スケジューリング許可によって許されたＭＡＣ−ｅ ＰＤＵヘッダ３０２およびＭＡＣ−ｄフローデータ３０４が多重化される。サポートされたＥ−ＴＦＣのセットのうちで、ＷＴＲＵ １０６は、サポートされたＥ−ＴＦＣのリストから、ＭＡＣ−ｅ ＰＤＵヘッダ３０２およびＭＡＣ−ｄフローデータ３０４より大きい最小のＥ−ＴＦＣを選択する。次いで、選択されたＥ−ＴＦＣサイズに一致するように、パディング３０６がＭＡＣ−ｅ ＰＤＵに施される。しかし、パディング３０６は、ＭＡＣ−ｄフローデータの多重化ブロックサイズを超えることがある。この場合、ＥＵ伝送で使用される物理リソースは十分には活用されず、有効なＷＴＲＵデータレートは不必要に減少される。したがって、ＥＵデータ多重化への代替の手法を有することが望ましい。
【発明の概要】
【００１８】
本発明は、許可によって許された多重化データの量を、選択されたＥ−ＴＦＣトランスポートブロックサイズに密接に一致するように量子化することに関する。送信することが許されたスケジュール型および／または非スケジュール型データの量は、ＭＡＣ−ｅ ＰＤＵに多重化されたデータの量が選択されたＥ−ＴＦＣトランスポートブロックサイズに、より密接に一致するように、許可に対して増加されまたは減少される。
【００１９】
スケジュール型データの量が、選択されたＥ−ＴＦＣに、より緊密に一致するように調整される場合に、多重化する最大量のスケジュール型データ、送信するスケジュール型ペイロードは、次に大きいまたは小さいＥ−ＴＦＣサイズに量子化された、送信に使用可能でありまた許可によって許されたスケジュール型と非スケジュール型データの合計から、非スケジュール型許可によって許される、送信に使用可能な非スケジュール型データの量を引いた値によって決まる。
【００２０】
この量子化は、多重化が許可によって制限される場合、およびＥ−ＴＦＣ制限に起因する最大Ｅ−ＴＦＣサイズによって制限されない場合、または送信に使用可能なＥ−ＤＣＨデータによって制限される場合に適用される。
【図面の簡単な説明】
【００２１】
【図１】３Ｇセルラシステムを示す図である。
【図２】ＷＴＲＵ内のＥＵプロトコルアーキテクチャを示す図である。
【図３】ＭＡＣ−ｅ ＰＤＵの生成を示す図である。
【図４】第１の実施形態による、送信することが許されたスケジュール型および／または非スケジュール型データの最大量を量子化することよってＭＡＣ−ｅ ＰＤＵを生成するためのプロセスのフローチャートである。
【図５】別の実施形態による、多重化することが許された非スケジュール型データの最大量を量子化することによってＭＡＣ−ｅ ＰＤＵを生成するためのプロセスのブロック図である。
【図６】別の実施形態による、多重化されたデータを減少させることによってＭＡＣ−ｅ ＰＤＵを生成するためのプロセスのフローチャートである。
【図７】図６のプロセスを使用したＭＡＣ−ｅ ＰＤＵ生成を示す図である。
【図８Ａ】別の実施形態による、追加のＭＡＣ−ｄフローデータブロックを追加することによってＭＡＣ−ｅ ＰＤＵを生成するためのプロセスのフローチャートである。
【図８Ｂ】図８Ａのプロセスの代替案による、追加のＭＡＣ−ｄフローデータブロックを追加することによってＭＡＣ−ｅ ＰＤＵを生成するためのプロセスのフローチャートである。
【図９】図８Ａおよび図８Ｂのプロセスを使用したＭＡＣ−ｅ ＰＤＵ生成を示す図である。
【図１０Ａ】図１０Ｂと併せて、別の実施形態による例示的な多重化手順を示すフローチャートである。
【図１０Ｂ】図１０Ａと併せて、別の実施形態による例示的な多重化手順を示すフローチャートである。
【図１１Ａ】ＭＡＣ−ｄフローをＭＡＣ−ｅ ＰＤＵに多重化するためのプロセスのフローチャートである。
【図１１Ｂ】ＭＡＣ−ｄフローをＭＡＣ−ｅ ＰＤＵに多重化するためのプロセスのフローチャートである。
【図１２】ＥＵ多重化のための簡略化されたアーキテクチャを示すブロック図である。
【図１３Ａ】図１３Ｂと併せて、別の実施形態による多重化手順を示すフローチャートである。
【図１３Ｂ】図１３Ａと併せて、別の実施形態による多重化手順を示すフローチャートである。
【図１４】別の実施形態による例示的な多重化手順のフローチャートである。
【発明を実施するための形態】
【００２２】
以下、用語「ＷＴＲＵ」には、それだけに限らないが、ユーザ端末装置（ＵＥ：user equipment）、移動局、固定または移動加入者装置、ページャ、または無線環境内で動作することができる他の任意のタイプの装置が含まれる。以下で言及されるとき、用語「ノードＢ」には、それだけに限らないが、基地局、サイトコントローラ、アクセスポイント、または無線環境内の他の任意のタイプのインターフェース装置が含まれる。ＷＴＲＵおよびノードＢが使用される１つの潜在的なシステムは、広帯域符号分割多元接続（Ｗ−ＣＤＭＡ（登録商標）：wideband code division multiple access）周波数分割複信（ＦＤＤ：frequency division duplex）通信システムであるが、これらの実施形態は、他の通信システムに適用することができる。
【００２３】
本発明の諸特徴は、集積回路（ＩＣ：integrated circuit）に組み込むことも、相互接続する多数の構成要素を含む回路内で構成することもできる。
【００２４】
ＭＡＣ−ｅ ＰＤＵ多重化論理への以下の修正は、ＭＡＣ−ｅ ＰＤＵ多重化がスケジュール型許可および／または非スケジュール型許可によって制限され、サポートされた最大のＥ−ＴＦＣまたは送信に使用可能なＥＵデータによっては制限されない場合のためのより効率的なデータ多重化、および改良型無線リソース使用のために提案される。スケジュール型許可および非スケジュール型許可に従ってＭＡＣ−ｄ フローからＭＡＣ−ｅ ＰＤＵに多重化することが許されるデータ量は、スケジュール型許可および非スケジュール型許可によって多重化が許されるデータ量に対して次に小さいまたは次に大きいＥ−ＴＦＣサイズに、より密接に一致するように増加または減少される。
【００２５】
図４は、一実施形態によるＭＡＣ−ｅ ＰＤＵを生成するためのプロセス４００のフローチャートである。ステップ４０５で、ＷＴＲＵは、ノードＢからのスケジュール型データ許可および／またはＲＮＣからの非スケジュール型データ許可を受信する。ステップ４１０で、Ｅ−ＴＦＣトランスポートブロックサイズが、スケジュール型許可および非スケジュール型許可に従って多重化することが許されたデータ量に基づいて選択される。ステップ４１５で、スケジュール型許可および非スケジュール型許可に従って送信することが許されたスケジュールおよび／または非スケジュール型データの最大量は、各ＭＡＣ−ｅ ＰＤＵに多重化されたデータ量が、選択されたＥ−ＴＦＣトランスポートブロックサイズに、より密接に一致するように量子化される。
【００２６】
図５は、別の実施形態によるＭＡＣ−ｅ ＰＤＵを生成するためのプロセス５００のフローチャートである。ステップ５０５で、ＷＴＲＵが、ノードＢからのスケジュール型データ許可および／またはＲＮＣからの非スケジュール型データ許可を受信する。ステップ５１０で、Ｅ−ＴＦＣトランスポートブロックサイズが、スケジュール型許可および非スケジュール型許可に従って多重化することが許されたデータ量に基づいて選択される。ステップ５１５で、少なくとも１つの許可によって多重化することが許された、バッファリングされたＷＴＲＵデータの量が、各ＥＵ  ＭＡＣ−ｅ ＰＤＵに多重化されたスケジュール型および非スケジュール型データ（ＭＡＣヘッダおよび制御情報を含む）の合計が、選択されたＥ−ＴＦＣトランスポートブロックサイズに、より密接に一致するように量子化される。
【００２７】
あるいは、別の一実施形態では、Ｅ−ＴＦＣサイズの粒度は、Ｅ−ＴＦＣサイズ間の差が１つのＭＡＣ−ｄ ＰＤＵおよび関連のＭＡＣ−ｅヘッダオーバーヘッドより大きくならないようにＥ−ＴＦＣＳ内で定義される。Ｅ−ＴＦＣは、可能な各ＭＡＣ−ｄフロー多重化組合せ、および関連するＭＡＣ−ｅヘッダオーバーヘッドに関して定義される。このようにＥ−ＴＦＣＳを最適化することによって、スケジュール型許可および非スケジュール型許可に従ってＭＡＣ−ｄフローデータが多重化された後に必要なパディングは、可能なＭＡＣ−ｄフロー多重化ブロックサイズの大きさを超過しなくなる。
【００２８】
図６は、別の実施形態によるＭＡＣ−ｅ ＰＤＵを生成するためのプロセス６００のフローチャートである。現在の許可によって許されたＭＡＣ−ｄフローデータおよびＭＡＣ−ｅ制御シグナリングのサイズより小さい、サポートされたＥ−ＴＦＣのセットから、最大のＥ−ＴＦＣが選択される（６０２）。その結果、選択されたＥ−ＴＦＣによって、許可によって許された量に関連するＭＡＣ−ｅ ＰＤＵに多重化すべき減少したデータの量を、スケジュール型許可および非スケジュール型許可によって必要とされる量より小さい最大Ｅ−ＴＦＣサイズに、より密接に一致するようにすることが可能となる。ＭＡＣ−ｄフローデータ（スケジュール型および／または非スケジュール型）は、選択されたＥ−ＴＦＣの範囲内でＭＡＣ−ｄフローデータブロックをもはや追加できなくなるまで、絶対優先度に従ってＭＡＣ−ｅ ＰＤＵに多重化する（６０４）。ＭＡＣ−ｅ ＰＤＵは、選択されたＥ−ＴＦＣサイズに一致するようにパディングが施される（６０６）。
【００２９】
図７は、図６の実施形態による、選択されたＥ−ＴＦＣサイズに、より密接に一致する減少したＭＡＣ−ｅ ＰＤＵ ７００Ｂサイズを示している。ＭＡＣ−ｅ ＰＤＵヘッダ７０２およびＭＡＣ−ｄフローデータブロック７０４ａ〜７０４ｃは、現在のスケジュール型許可および非スケジュール型許可によってサポートされている。図６および７を参照すると、現在の許可によって許されたＭＡＣ−ｄフローデータのサイズより小さい最大Ｅ−ＴＦＣが、サポートされたＥ−ＴＦＣのセットから選択される（ステップ６０２）。ＭＡＣ−ｄフローデータブロック（この例では、２つのＭＡＣ−ｄフローデータブロック７０４ａ、７０４ｂ）が、選択されたＥ−ＴＦＣサイズの範囲内でＭＡＣ−ｄフローデータブロックをもはや追加できなくなるまで、絶対優先度に従ってＭＡＣ−ｅ ＰＤＵ ７００Ｂに多重化される（ステップ６０４）。ＭＡＣ−ｄフローデータブロック７０４ｃは、選択されたＥ−ＴＦＣの範囲を超えるので多重化されない。好ましくは、多重化されたスケジュール型データの量だけが、選択されたＥ−ＴＦＣサイズに、より緊密に一致するように調整される。次いで、選択されたＥ−ＴＦＣサイズに一致するように、パディング７０６がＭＡＣ−ｅ ＰＤＵ ７００Ｂに施される（ステップ６０６）。パディングのための１つの技術は、ＭＡＣ−ｅ ＰＤＵヘッダ情報内にデータ終了指標を挿入することによって暗黙的に完遂される。
【００３０】
図８Ａは、現在のスケジュール型許可および非スケジュール型許可に従って多重化することが許されるデータ量をサポートする最小のＥ−ＴＦＣサイズが、サポートされたＥ−ＴＦＣのセットから選択される、ＭＡＣ−ｅ ＰＤＵを生成するためのプロセス８００のフローチャートである。ＭＡＣ−ｄフローデータブロックは、現在のスケジュール型許可および非スケジュール型許可によって許された最大のデータ量に達するまで、絶対優先度に従ってＭＡＣ−ｅ ＰＤＵに多重化される（８０２）。多重化されたＭＡＣ−ｅ ＰＤＵのサイズより大きいできるだけ小さいＥ−ＴＦＣが、サポートされたＥ−ＴＦＣのセットから選択される（８０４）。選択されたＥ−ＴＦＣサイズが、多重化されたＭＡＣ−ｄフローデータブロックおよびＭＡＣ−ｅヘッダのサイズを、最小ＭＡＣ−ｄフロー多重化ブロックサイズより大きい分だけ超過する場合に、さらなるＭＡＣ−ｄフローデータブロックおよび関連するＭＡＣ−ｅヘッダ情報が選択されたＥ−ＴＦＣサイズ内にもはや適合できなくなるまで、１つまたは複数の追加のＭＡＣ−ｄフローデータブロックを追加する。
【００３１】
図８Ｂに示される代替プロセス８５０では、現在のスケジュール型許可および非スケジュール型許可に従って多重化することが許されるデータ量をサポートする最小Ｅ−ＴＦＣが、サポートされたＥ−ＴＦＣのセットから選択される（８５２）。次いで、ＭＡＣ−ｄフローデータブロックが、選択されたＥ−ＴＦＣサイズによって許される最大のデータ量に達するまで、絶対優先度の順序でＭＡＣ−ｅ ＰＤＵに多重化される（８５４）。好ましくは、許可によって許されたスケジュール型データの量だけが、選択されたＥ−ＴＦＣに、より密接に一致するように調整され、多重化される非スケジュール型ＭＡＣ−ｄフローデータは、非スケジュール型許可に制限されてもよい。次いで、パディングが、選択されたＥ−ＴＦＣサイズに一致するように施される（８５６）。この方式では、スケジュール型および／または非スケジュール型の許可を超えるデータを送信することができる。
【００３２】
図９は、現在の許可をサポートする選択されたＥ−ＴＦＣサイズを完全に使用する増加したサイズのＭＡＣ−ｅ ＰＤＵ ９００を示している。ＭＡＣ−ｅ ＰＤＵヘッダ９０２およびＭＡＣ−ｄフローデータブロック９０４ａ〜９０４ｃは、現在のスケジュール型許可および非スケジュール型許可によってサポートされる。図８Ａ、８Ｂおよび９を参照すると、ＭＡＣ−ｄフローデータブロック９０４ａ〜９０４ｃは、現在のスケジュール型許可および非スケジュール型許可によって許された最大のデータ量に達するまで、絶対優先度に従ってＭＡＣ−ｅ ＰＤＵに多重化される。図９に示すように、一例として３つの（３）ＭＡＣ−ｄフローデータブロック９０４ａ〜９０４ｃが多重化されるが、任意の数のＭＡＣ−ｄフローデータブロックが多重化されてもよい。多重化されたＭＡＣ−ｅ ＰＤＵのサイズより大きい、できるだけ小さいＥ−ＴＦＣが、サポートされたＥ−ＴＦＣのセットから選択される。選択されたＥ−ＴＦＣサイズが、多重化ＭＡＣ−ｄフローデータブロック９０４ａ〜９０４ｃおよびＭＡＣ−ｅヘッダ９０２のサイズを最小のＭＡＣ−ｄフロー多重化ブロックサイズより多い分だけ超過する場合、図９に示されるように、１つまたは複数の追加のＭＡＣ−ｄフローデータブロック９０４ｄが、さらなるＭＡＣ−ｄフローデータブロックおよび関連のＭＡＣ−ｅヘッダ情報が選択されたＥ−ＴＦＣサイズ内にもはや適合できなくなるまで、絶対優先度に従って追加される。好ましくは、現在の許可を超えてスケジュール型ＭＡＣ−ｄフローデータだけが追加されるが、非スケジュール型ＭＡＣ−ｄフローデータも追加されてもよい。次いで、パディング９０６が、選択されたＥ−ＴＦＣサイズに一致するように施される。この方式では、ＭＡＣ−ｄフロー多重化は、パディングビットで満たされていた未使用のデータビットを使用するように最適化される。
【００３３】
図１０Ａおよび１０Ｂは併せて、多重化手順を示すフローチャート１０００であり、この手順によって、ＭＡＣ−ｅ ＰＤＵの多重化より前に、スケジュール型許可および／または非スケジュール型許可に従って多重化するデータ量が、スケジュール型許可および／または非スケジュール型許可によって多重化することが許されるデータ量に対して次に大きいまたは次に小さいＥ−ＴＦＣサイズに、より密接に一致するように調整される。図１０Ａは、多重化するスケジュール型データの量だけが、選択されたＥ−ＴＦＣに、より密接に一致するように調整される方法を識別するものである。
【００３４】
図１０Ａを参照すると、Ｅ−ＴＦＣ制限手順が実施されて（ステップ１００５）、送信に使用可能な最優先データのＭＡＣ−ｄフロー電力オフセットについて考慮することによって、できるだけ大きいＥ−ＴＦＣサイズを含むサポートされたＥ−ＴＦＣのセットが判定される（ステップ１０１０）。
【００３５】
さらに図１０Ａを参照すると、ステップ１０１５で、（残りの電力および最優先ＭＡＣ−ｄフロー電力オフセットを考慮して）Ｅ−ＴＦＣ制限に起因するできるだけ大きいＥ−ＴＦＣサイズがスケジュール型許可および非スケジュール型許可によって許されるデータ量よりも小さいと判定される場合には（残りの電力によって制限されるケース）、ＭＡＣ−ｅ ＰＤＵ多重化のための最大可能なペイロードが最大可能なＥ−ＴＦＣサイズに設定され（ステップ１０２０）、それによって、多重化するスケジュール型データの最大量がスケジュール型許可によって指定されたデータ量に設定され（ステップ１０２５）、多重化する非スケジュール型データの最大量が、非スケジュール型許可によって指定されたデータ量に設定される（ステップ１０３０）。
【００３６】
さらに図１０Ａを参照すると、ステップ１０１５で、Ｅ−ＴＦＣ制限に起因するできるだけ大きいＥ−ＴＦＣサイズが、スケジュール型許可および非スケジュール型許可によって許されるデータ量より大きいと判定される場合（許可によって制限されるケース）、多重化するスケジュール型データの最大量が、スケジュール型許可および非スケジュール型許可によって許された使用可能なデータの量に対して次に大きいまたは次に小さいＥ−ＴＦＣサイズに一致するように調整される（ステップ１０４０、１０４５）。
【００３７】
たとえば、多重化するスケジュール型データの最大量をスケジュール型許可によって許されたデータ量に設定するのではなく、スケジュール型データの最大量は、選択されたＥ−ＴＦＣのサイズから非スケジュール型許可によって送信することが許された使用可能データの量を引いた値に設定され（ステップ１０４０）、多重化する非スケジュール型データの最大量は、各非スケジュール型データフローについての非スケジュール型許可に設定される（ステップ１０４５）。これらの方法または他の類似の方法によって、多重化されたスケジュール型および非スケジュール型データの量が関連の許可に従って設定されるのではなく、多重化されたスケジュール型および非スケジュール型データの量は選択されたＥ−ＴＦＣサイズに一致するように設定されることになる。
【００３８】
好ましくは、スケジュール型ＭＡＣ−ｄフローから多重化されることが許されたデータの量だけが、選択されたＥ−ＴＦＣサイズに、より密接に一致するように増加されまたは減少される。任意選択で、ＭＡＣ−ｅ ＰＤＵ多重化のための最大可能なペイロードが、選択されたＥ−ＴＦＣのサイズに設定される。多重化の前に、多重化されたスケジュール型および／または非スケジュール型データの最適量を事前に判定するための他の操作シーケンスも可能である。
【００３９】
図１０Ｂを参照すると、次いで、ＭＡＣ−ｄフローが、サポートされた最大のＥ−ＴＦＣサイズ、スケジュール型許可および非スケジュール型許可によって許されたデータ量に達するまで、あるいはＭＡＣ−ｄフロー上の送信に使用可能なすべてデータが多重化されるまで、優先度の順でＭＡＣ−ｅ ＰＤＵに多重化される。ステップ１０５０で、残りの総ペイロードは、最大可能なＭＡＣ−ｅ ＰＤＵペイロードに設定され、残りのスケジュール型ペイロードは、多重化する最大のスケジュール型データに設定され、残りの非スケジュール型ペイロードは、多重化する最大の非スケジュール型データに設定される。
【００４０】
「残りの総ペイロード」は、Ｅ−ＴＦＣ制限（すなわちサポートされた最大のＥ−ＴＦＣ）の結果として生じる最大可能なペイロードである。しかし、このパラメータは、ステップ１０６０で、多重化ループ内の多重化された各データブロックについて減少されることに留意されたい。最大Ｅ−ＴＦＣによって制限されるケースの場合、このパラメータによって、ステップ１０６５で、多重化ループから出ることになる。「残りのスケジュール型ペイロード」および「残りの非スケジュール型ペイロード」は、そのタイプのデータについて多重化することが許された最大値に最初に設定される残りのスケジュール型および非スケジュール型データである。次いで、これらのパラメータは、そのタイプのデータが多重化されるごとに減少される。これらのパラメータによって、許可に、より制限されるケースについても、ステップ１０６５で多重化ループから出ることになる。使用可能な最優先データが、送信のために選択される。
【００４１】
ステップ１０５５で、この優先度の各スケジュール型チャネルについて、最小量の残りの総ペイロード、残りのスケジュール型ペイロード、およびこのチャネル上の使用可能なデータが多重化される。残りの総ペイロード、および残りのスケジュール型ペイロードは、多重化されたデータの量だけ減少される。ステップ１０６０で、この優先度の各非スケジュール型チャネルについて、最小量の残りの総ペイロード、残りの非スケジュール型ペイロード、およびこのチャネル上の使用可能なデータが多重化される。残りの総ペイロード、および残りのスケジュール型ペイロードは、多重化されたデータの量だけ減少される。
【００４２】
ステップ１０６５で残りの総ペイロードがゼロであり、または残りのスケジュール型ペイロードおよび残りの非スケジュール型ペイロードがゼロであり、または送信に使用可能なデータがもはや存在しないと判定される場合、多重化されるデータのサイズをサポートするできるだけ小さいＥ−ＴＦＣサイズが選択され、必要であれば、このサイズに一致するようにパディングがＭＡＣ−ｅ ＰＤＵに追加される（ステップ１０７０）。そうでない場合は、ステップ１０７５で、送信に使用可能な次に低い優先度のデータが選択される。ステップ１０７５で次に低い優先度を選択するのではなく、サービスされていない最優先の論理チャネルを単に選択し、すべての論理チャネルがサービスされるまで多重化ループを継続することも可能であることに留意されたい。
【００４３】
併せて考慮される図１１Ａおよび１１Ｂに示される別の実施形態では、選択されたＭＡＣ−ｄフローの電力オフセットが識別される（ステップ１３０１）。電力オフセットを使用して、オフセットおよびＥ−ＤＣＨデータのために許された残りの電力に基づいてＷＴＲＵによって送信することができるサポートされた最大Ｅ−ＴＦＣなどのサポートされた最大ペイロードが識別される。これは、Ｅ−ＴＦＣ制限手順と呼ばれることがある（ステップ１３０２）。変数「残りのペイロード」は最初、サポートされた最大ペイロードに設定される（ステップ１３０３）。スケジュール型許可に基づいて、変数「残りのスケジュール型ペイロード」が、スケジュール型許可および電力オフセットに従って送信することができる最大ペイロードにセットされる（ステップ１３０４）。非スケジュール型許可を有する各ＭＡＣ−ｄフローについて、変数「残りの非スケジュール型ペイロード」が、許可の値に設定される（ステップ１３０５）。変数「非スケジュール型ペイロード」は、送信することができる非スケジュール型データの量であり、非サービング許可と、これらの非スケジュール型ＭＡＣ−ｄフローのそれぞれについての使用可能データとの合計に基づく（ステップ１３０６）。
【００４４】
「残りのペイロード」が、任意のＭＡＣヘッダ情報および制御シグナリングオーバーヘッドを含む「残りのスケジュール型ペイロード」、「残りの非スケジュール型ペイロード」によって送信することが許された使用可能データ量の合計より大きい場合は、その合計に基づいて、サポートされた次に小さいＥ−ＴＦＣが選択される（ステップ１３０７）。「残りのペイロード」が合計より大きくない場合は、サポートされた最大のＥ−ＴＦＣが、多重化されるデータの量を制限するために使用される。「スケジュール型ペイロード」がないケースでは、選択されたＥ−ＴＦＣは、「残りのペイロード」が合計より大きくないので、サポートされた最大のＥ−ＴＦＣである。これによって、Ｅ−ＴＦＣがこの転送を許さないように制限されない限り、すべての「非スケジュール型」ペイロードの転送が可能となる。
【００４５】
サポートされた次に小さいＥ−ＴＦＣは、合計より多いデータを運ばないサポートされた最大のＥ−ＴＦＣである。換言すると、選択されたＥ−ＴＦＣは、サービング許可、非スケジュール型許可、電力オフセット、ならびにスケジューリング情報などの任意のＭＡＣヘッダ情報および制御シグナリングオーバーヘッドを含む使用可能なデータに基づく次に小さいＥ−ＴＦＣである。「残りのスケジュール型ペイロード」は、「量子化された合計」と呼ばれることもある選択されたＥ−ＴＦＣから、「非スケジュール型ペイロード」および任意のＭＡＣヘッダ情報および制御シグナリングオーバーヘッドを引いたサイズに設定される（ステップ１３０８）。「残りのスケジュール型ペイロード」をこのように設定することによって、スケジュール型データだけが量子化される。「非スケジュール型ペイロード」は、非スケジュール型許可に従って、選択されたＥ−ＴＦＣの内に保存される。その優先度に基づいて、それぞれの論理チャネルおよびその関連するＭＡＣ−ｄフローが、ＭＡＣ−ｅ／ｅｓ ＰＤＵに多重化される（ステップ１３０９）。
【００４６】
論理チャネルのＭＡＣ−ｄフローが非スケジュール型許可に適用される場合、ＭＡＣ−ｅ／ｅｓ ＰＤＵは、この論理チャネルからのＭＡＣ−ｄフローデータで、最小量の「残りの非スケジュール型ペイロード」、「残りのペイロード」まで満たされるか、またはその論理チャネルを満たすための使用可能なＭＡＣーｄフローデータで満たされる（ステップ１３１０）。ＭＡＣ−ｅ／ｅｓ ＰＤＵを満たすために使用されたビットは、任意のＭＡＣヘッダ情報および制御シグナリングオーバーヘッドを考慮に入れて、「残りのペイロード」および「残りの非スケジュール型ペイロード」から引かれる。ＭＡＣ−ｄフローがスケジュール型許可に適用される場合、ＭＡＣ−ｅ／ｅｓ ＰＤＵは、この論理チャネルからのＭＡＣ−ｄフローデータで、最小量の「残りのスケジュール型ペイロード」、「残りのペイロード」まで満たされ、またはその論理チャネルに使用可能なＭＡＣーｄフローデータで満たされる（ステップ１３１１）。ＭＡＣ−ｅ／ｅｓ ＰＤＵを満たすために使用されるビットは、ＭＡＣヘッダ情報および制御シグナリングオーバーヘッドを考慮に入れて、「残りのペイロード」および「残りのスケジュール型ペイロード」から引かれる（ステップ１３１２）。このプロセスは、すべての論理チャネルについて繰り返されるか、または「残りの非スケジュール型ペイロード」と「残りのスケジュール型ペイロード」の両方が使い果たされるまで、または「残りのペイロード」が使い果たされるまで、または送信に使用可能なデータがもはやなくなるまで繰り返される（ステップ１３１３）。スケジューリング情報などのＭＡＣ制御シグナリングオーバーヘッドがＰＤＵに追加され、ＰＤＵは、選択されたＥ−ＴＦＣサイズにパディングされる（ステップ１３１４）。
【００４７】
この手順によってＵＥ動作は「決定論的」なものとなることができ、したがって、ノードＢスケジューラは、どんなリソース許可がＵＥによって使用されるか正確に予測することができる。その結果、ノードＢは、リソースをより効率的に割り当てることができる。第１に物理リソースがより効率的に使用され、第２にデータレートの向上が達成されるように調整された（量子化された）多重化データの量を有することが望ましい。これを遂行するには、許可によって制限されるケースでは、Ｅ−ＴＦＣが現在の許可に基づいて選択され、このペイロードサイズがＭＡＣ−ｅ／ｅｓ ＰＤＵの多重化の前に、許可によって許されたスケジュール型データの量を量子化するために使用されることが必要である。物理リソース使用の向上およびデータレートの増加は、Ｅ−ＴＦＣ選択および多重化アルゴリズムを遂行することに、より達成される。
【００４８】
図１２は、ＥＵ多重化のための簡略化されたアーキテクチャを示すブロック図である。ＷＴＲＵ １４１４で、様々な論理チャネル１４０２のためのＭＡＣ−ｄフロー１４０３が、ＭＡＣ−ｄ １４０１によって、ＭＡＣ−ｅ／ｅｓ １４０４に提供される。Ｅ−ＴＦＣ選択装置１４０５は、たとえば拡張型個別チャネル（Ｅ−ＤＣＨ：enhanced dedicated channel）ＴＴＩベースで、ＥＵ伝送のためのＥ−ＴＦＣを選択する。Ｅ−ＴＦＣ選択装置１４０５は、スケジュール型許可（ＳＧ）１４０６、非スケジュール型許可（ＮＳＧ）１４０７、電力オフセット（ＰＯ）１４０８、ＭＡＣヘッダ情報および制御シグナリングオーバーヘッド（ＭＡＣ  ＨＥＡＤＥＲ）１４０９、Ｅ−ＤＣＨにマップされたＭＡＣ−ｄフローのバッファ占有率１４２２、およびサポートされたＥ−ＴＦＣ（またはＥ−ＴＦＣ制限手順を実施するための残りのＥ−ＤＣＨ電力）などの入力を受信する。また、リソース許可によって許された多重化されるデータの最大量を調整する「許可量子化」は、Ｅ−ＴＦＣ選択１４０５とマルチプレクサ（ＭＵＸ）１４１０の間で行うことができる。マルチプレクサ（ＭＵＸ）１４１０は、選択されたＥ−ＴＦＣに、より密接に一致するように量子化されていた許可に従って、送信すべきＭＡＣ−ｄフロー１４０３を多重化する。ＭＵＸ １４１０は、ＭＡＣ−ｄフロー１４０３を多重化し、ヘッダ情報１４０９を追加し、必要ならば、選択されたＥ−ＴＦＣサイズに一致するようにパディングを追加する。ＭＵＸ １４１０によって生成されたＭＡＣ−ｅ ＰＤＵ １４１１、選択されたＥ−ＴＦＣおよび電力オフセットは、選択されたＥ−ＴＦＣを使用してＥ−ＤＰＣＨ（enhanced dedicated physical channel）１４１３を介して送信するために物理層装置（ＰＨＹ：physical layer device）１４１２に提供される。
【００４９】
基地局／ノードＢおよび無線ネットワーク制御装置（ＲＮＣ）１４１５上で、Ｅ−ＤＰＣＨ１４１３は、基地局／ノードＢ １４１５のＰＨＹ １４１６によって受信され処理される。ＰＨＹ １４１６によって生成されたＭＡＣ−ｅ ＰＤＵ １４１７は、ＭＡＣ−ｅ／ｅｓ １４２０のデマルチプレクサ（ＤＥＭＵＸ）１４１８によって、構成要素ＭＡＣ−ｄフロー１４１９および論理チャネル１４２３に分離される。ＭＡＣ−ｄフロー１４１９は、ＭＡＣ−ｄ １４２１に引き渡される。
【００５０】
併せて考慮される図１３Ａおよび１３Ｂは、データの多重化を実施する間、多重化されたスケジュール型および／または非スケジュール型データの量が次に高いまたは低いＥ−ＴＦＣサイズに、より密接に一致するように調整される、多重化手順１１００のフローチャートである。図１０Ｂ内に示される優先多重化ループの順序内で、多重化するデータの量が許可によって制限される場合は、多重化するデータ量は、許可の合計によって多重化することが許されたデータ量による次に大きいまたは小さいＥ−ＴＦＣサイズに従って調整される。
【００５１】
図１３Ａを参照すると、ステップ１１０５で、残りの総ペイロードが、最大可能なＭＡＣ−ｅ ＰＤＵペイロードに設定され、残りのスケジュール型ペイロードが、多重化する最大のスケジュール型データに設定され、残りの非スケジュール型ペイロードが、多重化する最大の非スケジュール型データに設定される。
【００５２】
ステップ１１１０で残りのスケジュール型ペイロードが残りの総ペイロードより少ない、または等しいと判断され、また任意選択で、残りの非スケジュール型ペイロードおよび非スケジュール型データがゼロより大きいと判断される場合（ステップ１１１５）、（ＭＡＣヘッダオーバーヘッドを含む）既に多重化されているデータの量に残りのスケジュール型ペイロードを足した値に対して、次に小さいまたは大きいＥ−ＴＦＣサイズが選択される（ステップ１１２０）。残りのスケジュール型ペイロードは、選択されたＥ−ＴＦＣサイズから、（ＭＡＣヘッダオーバーヘッドを含む）既に多重化されているデータ量を引いた値に等しい。
【００５３】
ステップ１１２５で、この優先度の各スケジュール型チャネルについて、最小量の残りの総ペイロード、残りのスケジュール型ペイロードおよびこのチャネル上の使用可能なデータが多重化される。残りの総ペイロードおよび残りのスケジュール型ペイロードは、多重化されたデータの量だけ減少される。
【００５４】
図１３Ｂを参照すると、ステップ１１３０で、この優先度の各非スケジュール型チャネルについて、最小量の残りの総ペイロード、残りの非スケジュール型ペイロードおよびこのチャネル上の使用可能なデータが多重化される。残りの総ペイロードおよび残りのスケジュール型ペイロードは、多重化されたデータの量だけ減少される。
【００５５】
ステップ１１３５で残りの総ペイロードがゼロであると判定される場合、または残りのスケジュール型ペイロードおよび非スケジュール型ペイロードがゼロであると判定される場合、または送信に使用可能なデータがもはやないと判定される場合は、多重化されたデータのサイズをサポートする、できるだけ小さいＥ−ＴＦＣサイズが選択され、必要ならば、このサイズに一致するようにパディングがＭＡＣ−ｅ ＰＤＵに追加される。（ステップ１１４０）。そうでない場合は、ステップ１１４５で、送信に使用可能な次に低い優先度のデータが選択される。ステップ１１４５で次に低い優先度を選択するのではなく、サービスされていない最優先の論理チャネルを単に選択することも可能であることに留意されたい。
【００５６】
図１４は、別の実施形態による多重化手順１２００のフローチャートである。許可によって制限されるケースでは、ＭＡＣ−ｄフローデータは、各ＭＡＣ−ｄフローに関連付けられたスケジュール型または非スケジュール型許可によって多重化することが許されたデータ量に達するまで、ＭＡＣ−ｅ ＰＤＵに多重化される。
【００５７】
選択されたＥ−ＴＦＣサイズに一致するようにＭＡＣ−ｅ ＰＤＵにパディングをする前に、多重化ブロックサイズ（ＭＡＣ−ｄ ＰＤＵサイズ）が、スケジュール型許可および非スケジュール型許可によって許されたデータ量に対して次に大きいＥ−ＴＦＣサイズに一致させるのに必要なパディング量よりも小さい場合は、より多くのＭＡＣ−ｄフローデータが多重化される。追加の多重化に好ましくは、送信に使用可能な最優先のスケジュール型データだけが使用され、非スケジュール型の多重化データは、非スケジュール型許可によって制限されるままである。
【００５８】
あるいは、多重化データは、多重化ブロックサイズ（ＭＡＣ−ｄ ＰＤＵサイズ）が次に高いＥ−ＴＦＣサイズへのパディングに必要な量より小さい場合は、スケジュール型許可および非スケジュール型許可によって許されたデータ量に対して次に低いＥ−ＴＦＣサイズをサポートするように減少される。任意選択で、Ｅ−ＴＦＣサイズを減少させるための多重化ブロックサイズ以外のパディング閾値を考慮することもでき、あるいはより大きいＥ−ＴＦＣといくらかの差だけ小さい、次に低いＥ−ＴＦＣサイズに一致させるのに必要なパディングが、Ｅ−ＴＦＣサイズ減少の基準として使用され得る。
【００５９】
許可に従って多重化されたデータ量、および選択されたＥ−ＴＦＣに従って多重化することができるデータ量への言及では、ＭＡＣヘッダ情報、およびＭＡＣ−ｅ ＰＤＵのフォーマティングに必要な他の制御シグナリングオーバーヘッドを考慮に入れる。
【００６０】
図１４を参照すると、既に多重化されたデータ（ＭＡＣヘッダオーバーヘッドを含む）のサイズをサポートするできるだけ小さいＥ−ＴＦＣサイズが選択される（ステップ１２０５）。残りのスケジュール型ペイロードおよび残りの非スケジュール型ペイロードがゼロに等しい場合（任意選択のステップ１２１０）、残りの総ペイロードは、選択されたＥ−ＴＦＣサイズから、既に多重化されたデータ（ＭＡＣヘッダオーバーヘッドを含む）の量を引いた値に等しい（ステップ１２１５）。
【００６１】
ステップ１２２０で、この優先度の各スケジュール型チャネルについて、残りの総ペイロードが各ＭＡＣ−ｄフローの多重化ブロックサイズより大きい、または等しいと判断される場合は、最小量の残りの総ペイロードおよびこのチャネル上で使用可能なデータが多重化され、残りの総ペイロードおよび残りのスケジュール型ペイロードは、多重化されたデータ量だけ減少される（ステップ１２２５）。ステップ１２３０で、送信に使用可能な次に低い優先度のスケジュール型データが選択される。ステップ１２３５で、必要であれば、選択されたＥ−ＴＦＣのサイズに一致するようにパディングがＭＡＣ−ｅ ＰＤＵに追加される。
【００６２】
向上した多重化効率および無線リソース使用を達成するために、上記の諸実施形態の任意の組合せを適用することもできる。
【００６３】
本発明の諸特徴および要素について、好ましい諸実施形態において特定の組合せで述べているが、それぞれの特徴または要素は、好ましい諸実施形態の他の特徴および要素なしに単独に使用してもよく、あるいは本発明の他の特徴および要素を伴うまたは伴わない様々な組合せで使用してもよい。
【００６４】
＜＜実施形態＞＞
＜第１のグループ＞
量子化されたデータがより密接にブロックサイズに一致するようにデータを量子化することを含む方法。
【００６５】
ブロックサイズはトランスポートブロックサイズである、上記いずれかの第１グループ実施形態に記載の方法。
【００６６】
ブロックサイズは拡張アップリンクトランスポートブロックサイズ（Ｅ−ＴＦＣ）である、上記いずれかの第１グループ実施形態の方法。
【００６７】
量子化されたデータはスケジュール型許可に基づく、上記いずれかの第１グループ実施形態の方法。
【００６８】
量子化されたデータは非スケジュール型許可に基づく、上記いずれかの第１グループ実施形態の方法。
【００６９】
量子化されたデータはサービング許可に基づく、上記いずれかの第１グループ実施形態の方法。
【００７０】
量子化されたデータはスケジュール型データである、上記いずれかの第１グループ実施形態の方法。
【００７１】
量子化されたデータは非スケジュール型データである、上記いずれかの第１グループ実施形態の方法。
【００７２】
データはメディアアクセス制御個別チャネル（ＭＡＣ−ｄ）フローである、上記いずれかの第１グループ実施形態の方法。
【００７３】
データはパケットデータユニット（ＰＤＵ）である、上記いずれかの第１グループ実施形態の方法。
【００７４】
データはメディアアクセス制御個別チャネル（ＭＡＣ−ｄ）パケットデータユニット（ＰＤＵ）である、上記いずれかの第１グループ実施形態の方法。
【００７５】
量子化されたデータは電力オフセットに基づく、上記いずれかの第１グループ実施形態の方法。
【００７６】
量子化されたデータはスケジューリング情報に基づく、上記いずれかの第１グループ実施形態の方法。
【００７７】
量子化されたデータはメディアアクセス制御ヘッダ情報に基づく、上記いずれかの第１グループ実施形態の方法。
【００７８】
ブロックサイズを選択するステップを含む上記いずれかの第１グループ実施形態の方法。
【００７９】
トランスポートフォーマットの組合せ（ＴＦＣ）に関連付けられたブロックサイズを選択するステップを含む上記いずれかの第１グループ実施形態の方法。
【００８０】
拡張アップリンクトランスポートフォーマットコンビネーション（Ｅ−ＴＦＣ）に関連付けられたブロックサイズを選択するステップを含む上記いずれかの第１グループ実施形態の方法。
【００８１】
選択されたブロックサイズはスケジュール型許可に基づく、上記いずれかの第１グループ実施形態の方法。
【００８２】
選択されたブロックサイズは非スケジュール型許可に基づく、上記いずれかの第１グループ実施形態の方法。
【００８３】
選択されたブロックサイズはサービング許可に基づく、上記いずれかの第１グループ実施形態の方法。
【００８４】
選択されたブロックサイズはメディアアクセス制御ヘッダ情報に基づく、上記いずれかの第１グループ実施形態の方法。
【００８５】
選択されたブロックサイズはスケジューリング情報に基づく、上記いずれかの第１グループ実施形態の方法。
【００８６】
選択されたブロックサイズは電力オフセットに基づく、上記いずれかの第１グループ実施形態の方法。
【００８７】
選択されたブロックサイズはバッファ占有率に基づく、上記いずれかの第１グループ実施形態の方法。
【００８８】
選択されたブロックサイズは複数のブロックサイズから選択され、その選択されたブロックサイズは次に小さいブロックサイズである、上記いずれかの第１グループ実施形態の方法。
【００８９】
選択されたブロックサイズは複数のブロックサイズから選択され、その選択されたブロックサイズは次に大きいブロックサイズである、上記いずれかの第１グループ実施形態の方法。
【００９０】
選択されたブロックサイズは複数のブロックサイズから選択され、その選択されたブロックサイズは、送信されるデータ量に基づいており、複数のブロックサイズのうち、そのデータ量を超えない最大のブロックサイズである、上記いずれかの第１グループ実施形態の方法。
【００９１】
選択されたブロックサイズは複数のブロックサイズから選択され、その選択されたブロックサイズは、送信されるデータ量に基づいており、複数のブロックサイズのうち、そのデータ量を超える最小のブロックサイズである、上記いずれかの第１グループ実施形態の方法。
【００９２】
量子化されたデータにパディングが追加される、上記いずれかの第１グループ実施形態の方法。
【００９３】
量子化されたデータが送信される、上記いずれかの第１グループ実施形態の方法。
【００９４】
量子化されたデータは拡張個別チャネル上で送信される、上記いずれかの第１グループ実施形態の方法。
【００９５】
符号分割多元接続エアインターフェースのために実施される上記いずれかの第１グループ実施形態の方法。
【００９６】
周波数分割複信符号分割多元接続拡張アップリンク通信のために実施される上記いずれかの第１グループ実施形態の方法。
【００９７】
無線送受信ユニットによって実施される上記いずれかの第１グループ実施形態の方法。
【００９８】
ユーザ端末装置によって実施される上記いずれかの第１グループ実施形態の方法。
【００９９】
量子化されたデータは基地局によって受信される、上記いずれかの第１グループ実施形態の方法。
【０１００】
量子化されたデータはノードＢによって受信される、上記いずれかの第１グループ実施形態の方法。
【０１０１】
量子化されたデータは無線ネットワーク制御装置によって受信される、上記いずれかの第１グループ実施形態の方法。
【０１０２】
＜第２のグループ＞
物理層を含む無線送受信ユニット（ＷＴＲＵ）。
【０１０３】
ユーザ端末装置である上記いずれかの第２グループ実施形態のＷＴＲＵ。
【０１０４】
メディアアクセス制御個別チャネル（ＭＡＣ−ｄ）手段を含む上記いずれかの第２グループ実施形態のＷＴＲＵ。
【０１０５】
多重化手段を含む上記いずれかの第２グループ実施形態のＷＴＲＵ。
【０１０６】
多重化手段はメディアアクセス制御−個別チャネル（ＭＡＣ−ｄ）フローをメディアアクセス制御−拡張アップリンク（ＭＡＣ−ｅ）パケットデータユニット（ＰＤＵ）に多重化する、上記いずれかの第２グループ実施形態のＷＴＲＵ。
【０１０７】
ｅ−ＴＦＣ選択手段を含む上記いずれかの第２グループ実施形態のＷＴＲＵ。
【０１０８】
複数のＥ−ＴＦＣからＥ−ＴＦＣを選択するｅ−ＴＦＣ選択手段を含む上記いずれかの第２グループ実施形態のＷＴＲＵ。
【０１０９】
ＭＡＣ−ｅ／ｅｓを含む上記いずれかの第２グループ実施形態のＷＴＲＵ。
【０１１０】
ＭＡＣ−ｅ／ｅｓは多重化手段とＥ−ＴＦＣ選択手段とを含む、上記いずれかの第２グループ実施形態のＷＴＲＵ。
【０１１１】
物理層は送信用の拡張個別物理チャネルを生成する、上記いずれかの第２グループ実施形態のＷＴＲＵ。
【０１１２】
基地局、ノードＢまたはＲＮＣを伴う実施形態を除く第１グループ実施形態からの方法のステップを実施する上記いずれかの第２グループ実施形態のＷＴＲＵ。
【０１１３】
基地局、ノードＢまたはＲＮＣを伴う実施形態を除く第１グループ実施形態からの方法のステップを実施する手段を含む上記いずれかの第２グループ実施形態のＷＴＲＵ。
【０１１４】
＜第３のグループ＞
物理層を含む基盤コンポーネント。
【０１１５】
基地局を含む上記いずれかの第３グループ実施形態の基盤コンポーネント。
【０１１６】
ノードＢを含む上記いずれかの第３グループ実施形態の基盤コンポーネント。
【０１１７】
ノードＢとＲＮＣとを含む上記いずれかの第３グループ実施形態の基盤コンポーネント。
【０１１８】
分離手段を含む上記いずれかの第３グループの実施形態の基盤コンポーネント。
【０１１９】
拡張アップリンクメディアアクセス制御パケットデータユニットをメディアアクセス制御−個別チャネルフローに分離する分離手段を含む上記いずれかの第３グループ実施形態の基盤コンポーネント。
【０１２０】
メディアアクセス制御−個別チャネル手段を含む上記いずれかの第３グループ実施形態の基盤コンポーネント。
【０１２１】
メディアアクセス制御−個別チャネルフローを受信するメディアアクセス制御−個別チャネル手段を含む上記いずれかの第３グループの実施形態の基盤コンポーネント。
【０１２２】
物理層は拡張個別物理チャネルを受信する、上記いずれかの第３グループ実施形態の基盤コンポーネント。
【０１２３】
第１グループ実施形態によって生成された受信メディアアクセス制御拡張アップリンクパケットデータユニットを分離する分離手段を含む上記いずれかの第３グループ実施形態の基盤コンポーネント。
【図１】
2015084605.tif 000003
【図２】
2015084605.tif 000004
【図３】
2015084605.tif 000005
【図４】
2015084605.tif 000006
【図５】
2015084605.tif 000007
【図６】
2015084605.tif 000008
【図７】
2015084605.tif 000009
【図８Ａ】
2015084605.tif 000010
【図８Ｂ】
2015084605.tif 000011
【図９】
2015084605.tif 000012
【図１０Ａ】
2015084605.tif 000013
【図１０Ｂ】
2015084605.tif 000014
【図１１Ａ】
2015084605.tif 000015
【図１１Ｂ】
2015084605.tif 000016
【図１２】
2015084605.tif 000017
【図１３Ａ】
2015084605.tif 000018
【図１３Ｂ】
2015084605.tif 000019
【図１４】
2015084605.tif 000020